(57)【要約】【課題】消費税率に従った消費税をより適正に遊技客から徴収すること。【解決手段】消費税率設定部１１１は、消費税率が入力されると、入力された消費税率を保持するとともに、貸出玉数決定部１２０へ消費税率を通知する。貸出単位金額設定部１１２は、１回の玉貸操作で引き落とされる貸出単位金額が入力されると、入力された貸出単位金額を保持するとともに、貸出玉数決定部１２０へ貸出単位金額を通知する。貸出単位金額設定部１１２に設定される貸出単位金額は、遊技店で流通する最小単位金額よりも大きく、最小単位金額の倍数の金額であるものとする。貸出玉数決定部１２０は、貸出単位金額で貸し出される貸出玉数を決定する。具体的には、貸出玉数決定部１２０は、貸出単位金額を税込の玉単価で除算して得られる商を四捨五入して貸出玉数とする。【選択図】        図３
2008036322.tif 000002
【特許請求の範囲】
【請求項１】
遊技台における遊技に用いられる遊技媒体の貸出処理を行う遊技媒体貸出装置を備える遊技媒体貸出システムであって、
遊技店内で流通する最小単位金額より大きく、最小単位金額の倍数の金額を消費税徴収単位として設定する設定手段と、
前記設定手段によって設定された消費税徴収単位によって貸し出し可能な遊技媒体数を決定する決定手段と、
前記決定手段によって決定された遊技媒体数の遊技媒体を前記遊技媒体貸出装置および前記遊技台の一方または双方から投出させる貸出処理手段と
を有することを特徴とする遊技媒体貸出システム。
【請求項２】
前記設定手段は、
遊技客による１回の貸出操作について遊技媒体の貸し出しに利用される貸出単位金額を消費税徴収単位に設定することを特徴とする請求項１記載の遊技媒体貸出システム。
【請求項３】
前記決定手段は、
遊技店の従業員によって入力された遊技媒体数を貸し出し可能な遊技媒体数と決定することを特徴とする請求項１記載の遊技媒体貸出システム。
【請求項４】
前記決定手段は、
消費税徴収単位を遊技媒体の税込単価で除算し、得られた商を貸し出し可能な遊技媒体数と決定することを特徴とする請求項１記載の遊技媒体貸出システム。
【請求項５】
前記貸出処理手段は、
消費税徴収単位を最小単位金額で除算し、得られた貸出配分回数に分けて前記決定手段によって決定された遊技媒体数の遊技媒体を投出させることを特徴とする請求項１記載の遊技媒体貸出システム。
【請求項６】
前記貸出処理手段は、
前記決定手段によって決定された遊技媒体数を貸出配分回数で除算し、得られた単位遊技媒体数ずつの遊技媒体を前記遊技媒体貸出装置から投出させることを特徴とする請求項５記載の遊技媒体貸出システム。
【請求項７】
前記貸出処理手段は、
貸出配分回数のうち１回以外は、それぞれ前記遊技台が投出可能な遊技媒体数ずつの遊技媒体を前記遊技台から投出させ、残りの１回は、前記決定手段によって決定された遊技媒体数のうち前記遊技台から投出されない端数の遊技媒体を前記遊技媒体貸出装置から投出させることを特徴とする請求項５記載の遊技媒体貸出システム。
【請求項８】
併設された遊技台における遊技に用いられる遊技媒体の貸出処理を行う遊技媒体貸出装置であって、
遊技店内で流通する最小単位金額より大きく、最小単位金額の倍数の金額を消費税徴収単位として設定する設定手段と、
前記設定手段によって設定された消費税徴収単位によって貸し出し可能な遊技媒体数を決定する決定手段と、
前記決定手段によって決定された遊技媒体数の遊技媒体を自装置および前記遊技台の一方または双方から投出させる貸出処理手段と
を有することを特徴とする遊技媒体貸出装置。
【請求項９】
遊技台における遊技に用いられる遊技媒体の貸出処理を行う遊技媒体貸出装置を備える遊技媒体貸出システムにおける遊技媒体貸出方法であって、
遊技店内で流通する最小単位金額より大きく、最小単位金額の倍数の金額を消費税徴収単位として設定する設定工程と、
前記設定工程にて設定された消費税徴収単位によって貸し出し可能な遊技媒体数を決定する決定工程と、
前記決定工程にて決定された遊技媒体数の遊技媒体を前記遊技媒体貸出装置および前記遊技台の一方または双方から投出させる貸出処理工程と
を有することを特徴とする遊技媒体貸出方法。
【発明の詳細な説明】
【技術分野】
【０００１】
本発明は、遊技台における遊技に用いられる遊技媒体の貸出処理を行う遊技媒体貸出装置を備える遊技媒体貸出システム、遊技媒体貸出装置、および遊技媒体貸出方法に関し、特に、消費税率に従った消費税をより適正に遊技客から徴収することができる遊技媒体貸出システム、遊技媒体貸出装置、および遊技媒体貸出方法に関する。
【背景技術】
【０００２】
現在、例えばパチンコ店やパチスロ店などの遊技店においては、玉やメダルなどの遊技媒体を用いた遊技に課される消費税を遊技客に代わって遊技店が負担するのが一般的である。しかし、将来的に消費税率が上昇すると、遊技店の負担が大きくなることから、遊技客が自らの遊技に係る消費税を負担するようになると考えられる。
【０００３】
ところで、遊技店における遊技媒体の貸し出しには、度数と呼ばれる有価価値が関連付けられたプリペイドカードが用いられることが多い。遊技客は、あらかじめ遊技店内のカード販売機などにおいて所望の金額のプリペイドカードを購入し、購入したプリペイドカードに関連付けられた度数分の遊技媒体を借り受けることができる。そこで、例えば特許文献１では、プリペイドカードの価格に消費税額分を上乗せしておき、遊技客に消費税を負担させることが検討されている。しかし、この特許文献１においては、プリペイドカードの価格が消費税分を上乗せした半端な金額となり、利便性が悪くなってしまう。
【０００４】
このため、例えば特許文献２には、プリペイドカードの価格を変更するのではなく、プリペイドカードを用いた遊技媒体の貸し出し時に、１度数で貸し出される玉数を消費税相当分だけ少なくすることが記載されている。
【０００５】
【特許文献１】特開平１１−７０２６４号公報
【特許文献２】特開２００６−１５８６３５号公報
【発明の開示】
【発明が解決しようとする課題】
【０００６】
しかしながら、遊技店においては、流通する最小単位金額が主に１００円であることから、プリペイドカードに関連付けられる１度数は１００円に対応しており、また、遊技媒体は、例えばパチンコ玉が１玉４円程度であるため、１度数で貸し出される玉数を調整しても、消費税率に則って正確に消費税を遊技客から徴収することは困難であるという問題がある。
【０００７】
具体的には、例えばパチンコ玉の税別単価を４円とすると、消費税が課税されない場合は、１度数で２５（＝１００／４）玉の貸し出しが行われる。これに対して、税率５％の消費税が課税されると、パチンコ玉の税込単価が４．２（＝４×１．０５）円となるため、１度数で２４（≒１００／４．２）玉の貸し出しが行われることになる。ここで、正確には２４玉は税込で１００．８（＝４．２×２４）円に相当するため、１度数分の１００円を超過する０．８円は遊技店が負担することに他ならない。
【０００８】
一方、１度数で貸し出される玉数を２３玉とすると、２３玉は税込で９６．６（＝４．２×２３）円にしかならないため、遊技客から１度数分の１００円を徴収するにも拘らず、９６．６円分のパチンコ玉を貸し出すことになり、遊技店が不当に利益を上げることになってしまう。
【０００９】
本発明はかかる点に鑑みてなされたものであり、消費税率に従った消費税をより適正に遊技客から徴収することができる遊技媒体貸出システム、遊技媒体貸出装置、および遊技媒体貸出方法を提供することを目的とする。
【課題を解決するための手段】
【００１０】
上記課題を解決するために、本発明は、遊技台における遊技に用いられる遊技媒体の貸出処理を行う遊技媒体貸出装置を備える遊技媒体貸出システムであって、遊技店内で流通する最小単位金額より大きく、最小単位金額の倍数の金額を消費税徴収単位として設定する設定手段と、前記設定手段によって設定された消費税徴収単位によって貸し出し可能な遊技媒体数を決定する決定手段と、前記決定手段によって決定された遊技媒体数の遊技媒体を前記遊技媒体貸出装置および前記遊技台の一方または双方から投出させる貸出処理手段とを有することを特徴とする。
【００１１】
また、本発明は、上記発明において、前記設定手段は、遊技客による１回の貸出操作について遊技媒体の貸し出しに利用される貸出単位金額を消費税徴収単位に設定することを特徴とする。
【００１２】
また、本発明は、上記発明において、前記決定手段は、遊技店の従業員によって入力された遊技媒体数を貸し出し可能な遊技媒体数と決定することを特徴とする。
【００１３】
また、本発明は、上記発明において、前記決定手段は、消費税徴収単位を遊技媒体の税込単価で除算し、得られた商を貸し出し可能な遊技媒体数と決定することを特徴とする。
【００１４】
また、本発明は、上記発明において、前記貸出処理手段は、消費税徴収単位を最小単位金額で除算し、得られた貸出配分回数に分けて前記決定手段によって決定された遊技媒体数の遊技媒体を投出させることを特徴とする。
【００１５】
また、本発明は、上記発明において、前記貸出処理手段は、前記決定手段によって決定された遊技媒体数を貸出配分回数で除算し、得られた単位遊技媒体数ずつの遊技媒体を前記遊技媒体貸出装置から投出させることを特徴とする。
【００１６】
また、本発明は、上記発明において、前記貸出処理手段は、貸出配分回数のうち１回以外は、それぞれ前記遊技台が投出可能な遊技媒体数ずつの遊技媒体を前記遊技台から投出させ、残りの１回は、前記決定手段によって決定された遊技媒体数のうち前記遊技台から投出されない端数の遊技媒体を前記遊技媒体貸出装置から投出させることを特徴とする。
【００１７】
また、本発明は、併設された遊技台における遊技に用いられる遊技媒体の貸出処理を行う遊技媒体貸出装置であって、遊技店内で流通する最小単位金額より大きく、最小単位金額の倍数の金額を消費税徴収単位として設定する設定手段と、前記設定手段によって設定された消費税徴収単位によって貸し出し可能な遊技媒体数を決定する決定手段と、前記決定手段によって決定された遊技媒体数の遊技媒体を自装置および前記遊技台の一方または双方から投出させる貸出処理手段とを有することを特徴とする。
【００１８】
また、本発明は、遊技台における遊技に用いられる遊技媒体の貸出処理を行う遊技媒体貸出装置を備える遊技媒体貸出システムにおける遊技媒体貸出方法であって、遊技店内で流通する最小単位金額より大きく、最小単位金額の倍数の金額を消費税徴収単位として設定する設定工程と、前記設定工程にて設定された消費税徴収単位によって貸し出し可能な遊技媒体数を決定する決定工程と、前記決定工程にて決定された遊技媒体数の遊技媒体を前記遊技媒体貸出装置および前記遊技台の一方または双方から投出させる貸出処理工程とを有することを特徴とする。
【発明の効果】
【００１９】
本発明によれば、遊技店内で流通する最小単位金額より大きく、最小単位金額の倍数の金額を消費税徴収単位として設定し、設定された消費税徴収単位によって貸し出し可能な遊技媒体数を決定し、決定された遊技媒体数の遊技媒体を遊技媒体貸出装置および遊技台の一方または双方から投出させる。このため、最小単位金額に対して課される消費税額よりも消費税徴収単位に対して課される消費税額が大きくなり、同時に、遊技媒体の単価に比して消費税額が大きくなって、貸し出される遊技媒体の数を調整することにより消費税を徴収する場合の誤差を小さくすることができる。結果として、消費税率に従った消費税をより適正に遊技客から徴収することができる。
【００２０】
また、本発明によれば、遊技客による１回の貸出操作について遊技媒体の貸し出しに利用される貸出単位金額を消費税徴収単位に設定するため、消費税率が同じであれば、１回の貸出操作で貸し出される遊技媒体数を常に等しくすることができる。
【００２１】
また、本発明によれば、遊技店の従業員によって入力された遊技媒体数を貸し出し可能な遊技媒体数と決定するため、消費税率に応じて算出された消費税徴収単位に対する遊技媒体数を従業員が自由に入力して設定することができる。
【００２２】
また、本発明によれば、消費税徴収単位を遊技媒体の税込単価で除算し、得られた商を貸し出し可能な遊技媒体数と決定するため、消費税率に応じた消費税徴収単位分の遊技媒体数を適切に算出することができ、消費税徴収単位、消費税率、遊技媒体の単価等を入力するのみで消費税徴収単位分の遊技媒体数を決定することができる。
【００２３】
また、本発明によれば、消費税徴収単位を最小単位金額で除算し、得られた貸出配分回数に分けて消費税徴収単位分の遊技媒体数の遊技媒体を投出させるため、遊技媒体が１回投出されるたびに最小単位金額が消費されたものとすることができ、遊技媒体の貸し出しに用いられるプリペイドカードや現金の残高の管理が簡便になる。
【００２４】
また、本発明によれば、消費税徴収単位分の遊技媒体数を貸出配分回数で除算し、得られた単位遊技媒体数ずつの遊技媒体を遊技媒体貸出装置から投出させるため、毎回投出される遊技媒体数がほぼ均等となり、遊技媒体が１回投出されるたびに最小単位金額ずつ消費される残高との整合が取られる。
【００２５】
また、本発明によれば、貸出配分回数のうち１回以外は、それぞれ遊技台が投出可能な遊技媒体数ずつの遊技媒体を遊技台から投出させ、残りの１回は、消費税徴収単位分の遊技媒体数のうち遊技台から投出されない端数の遊技媒体を遊技媒体貸出装置から投出させる。このため、遊技台が投出可能な遊技媒体数が固定されている場合でも、遊技台から遊技媒体を投出させつつ、貸し出される全体の遊技媒体数を調整することができる。
【発明を実施するための最良の形態】
【００２６】
以下、本発明の一実施の形態について、図面を参照して詳細に説明する。なお、以下の説明においては、遊技店で流通する最小単位金額を１００円とし、プリペイドカードの金額や１回の玉貸操作について玉の貸し出しに利用される金額（以下「貸出単位金額」という）などは、すべて最小単位金額の倍数であるものとする。
【００２７】
図１は、本発明の一実施の形態に係る遊技店の概略構成を示す図である。同図に示すように、本実施の形態に係る遊技店内には、カードターミナルコントローラ（以下「カードＴ／Ｃ」と略記する）１００に島コントローラ２００、カード発行装置３００、およびカード精算装置４００が接続されている。そして、島コントローラ２００には、複数の玉貸装置５００が接続され、各玉貸装置５００にパチンコ台６００が併設されている。
【００２８】
カードＴ／Ｃ１００は、遊技店全体を統括管理し、カード発行装置３００において発行されるプリペイドカードのＩＤと残高とを対応付けて管理し、玉貸装置５００による玉の貸出処理やカード精算装置４００による残高の精算処理が行われる際に、プリペイドカードの残高を通知したり更新したりする。また、カードＴ／Ｃ１００は、１回の玉貸操作について玉の貸し出しに利用される貸出単位金額や消費税率などの入力を受け付け、貸出単位金額に対応して貸し出される貸出玉数を決定し、玉貸装置５００へ通知する。貸出玉数の決定については、後に詳述する。
【００２９】
島コントローラ２００は、「島」と呼ばれる区域ごとに複数の玉貸装置５００を管理し、カードＴ／Ｃ１００と玉貸装置５００の間の情報のやり取りを中継する。
【００３０】
カード発行装置３００は、遊技客の所望の金額が関連付けられたプリペイドカードを発行し、プリペイドカードのＩＤと発行額とをカードＴ／Ｃ１００へ通知する。なお、カード発行装置３００は、現金によってプリペイドカードを発行しても良く、また、例えば電子マネー決済などによってプリペイドカードを発行しても良い。
【００３１】
カード精算装置４００は、プリペイドカードの残高をカードＴ／Ｃ１００へ問い合わせ、プリペイドカードの残高を現金や電子マネーなどとして精算する。
【００３２】
玉貸装置５００は、プリペイドカードが挿入されると、プリペイドカードの残高を上限として玉を貸し出す。このとき、玉貸装置５００は、玉貸操作が１回行われると、カードＴ／Ｃ１００から通知される貸出玉数の玉を複数回数に分けて貸し出す。また、玉貸装置５００は、各回数において貸出処理される玉を玉貸装置５００から直接投出するか併設されたパチンコ台６００から投出させるかの貸出配分を決定し、決定された貸出配分に従った貸出処理を行う。
【００３３】
パチンコ台６００は、玉貸装置５００によって貸し出された玉を遊技客が射出して遊技する遊技台である。パチンコ台６００は、遊技客が玉貸操作を行うための玉貸ボタンなどを有しているとともに、玉貸装置５００から玉の貸出を指示されると、パチンコ台６００が投出可能なあらかじめ決められた玉数（以下「台貸玉数」という）の玉を投出する。
【００３４】
図２は、本実施の形態に係る玉貸装置５００およびパチンコ台６００の外観を示す正面図である。
【００３５】
玉貸装置５００の前面には、カード受付部５１０および玉投出部５２０が配設されており、遊技客は、カード受付部５１０にプリペイドカードを挿入するようになっている。そして、玉の貸し出しを希望する遊技客は、パチンコ台６００の玉貸ボタン６１０を押下する。玉貸ボタン６１０が押下されたことが、玉貸装置５００によって検知されると、貸出単位金額分の玉の貸出処理が行われる。
【００３６】
すなわち、玉貸装置５００からの貸出指示によってパチンコ台６００から台貸玉数の玉が上皿６３０へ投出されるか、玉投出部５２０に設けられたノズルから玉が直接上皿６３０へ投出されるかする。
【００３７】
玉貸装置５００の貸出処理によって貸し出された玉は、パチンコ台６００の上皿６３０に保留され、遊技客がハンドル６４０を回転させると、回転量に応じた強さで上皿６３０に保留された玉が１玉ずつ盤面６５０へ射出される。盤面６５０へ射出された玉が所定の入賞口へ入賞すると賞球が払い出され、遊技客は、賞球として獲得した玉を景品に交換することができる。また、遊技客がプリペイドカードの返却を希望する場合は、パチンコ台６００の返却ボタン６２０を押下すると、カード受付部５１０からプリペイドカードが排出される。
【００３８】
図３は、本実施の形態に係るカードＴ／Ｃ１００の要部構成を示すブロック図である。図３に示すカードＴ／Ｃ１００は、入力部１１０、貸出玉数決定部１２０、通信インタフェース部（以下「通信Ｉ／Ｆ部」と略記する）１３０、カード残高管理部１４０を有している。
【００３９】
入力部１１０は、例えばテンキーなどを有しており、貸出単位金額に対する貸出玉数を決定するために、従業員による種々の情報の入力を受け付けるようになっている。具体的には、入力部１１０は、消費税率設定部１１１、貸出単位金額設定部１１２、および貸出玉数設定部１１３を有している。
【００４０】
消費税率設定部１１１は、消費税率が入力されると、入力された消費税率を保持するとともに、貸出玉数決定部１２０へ消費税率を通知する。
【００４１】
貸出単位金額設定部１１２は、１回の玉貸操作で引き落とされる貸出単位金額が入力されると、入力された貸出単位金額を保持するとともに、貸出玉数決定部１２０へ貸出単位金額を通知する。貸出単位金額設定部１１２に設定される貸出単位金額は、遊技店で流通する最小単位金額である１００円よりも大きく、最小単位金額の倍数の金額であるものとする。
【００４２】
貸出玉数設定部１１３は、貸出単位金額に応じた貸出玉数が入力されると、入力された貸出玉数を保持するとともに、貸出玉数決定部１２０へ貸出玉数を通知する。
【００４３】
なお、入力部１１０は、上記のほかにも例えば玉の単価などが入力可能になっていても良い。また、すべての情報に関する入力が必須ではなく、少なくとも消費税率および貸出玉数のいずれか一方と貸出単位金額とが入力されれば、入力部１１０は入力された情報を貸出玉数決定部１２０へ通知する。
【００４４】
貸出玉数決定部１２０は、入力部１１０から通知される情報に基づいて、貸出単位金額で貸し出される貸出玉数を決定する。具体的には、貸出玉数決定部１２０は、入力部１１０から貸出単位金額と消費税率が通知された場合、貸出単位金額を税込の玉単価で除算して得られる商を四捨五入して貸出玉数とする。すなわち、例えば貸出単位金額が５００円、消費税率５％、および税別の玉単価４円とすると、貸出単位金額５００円を税込玉単価４．２円で除算し、商を四捨五入することにより貸出玉数を１１９玉と算出する。また、貸出玉数決定部１２０は、入力部１１０から貸出単位金額と貸出玉数が通知された場合、通知された貸出玉数をそのまま貸出玉数として決定する。
【００４５】
通信Ｉ／Ｆ部１３０は、島コントローラ２００を介して玉貸装置５００と通信を行い、玉貸装置５００へ貸出単位金額および貸出玉数を送信したり、プリペイドカードのＩＤや残高などプリペイドカードを管理するための情報を送受信したりする。
【００４６】
カード残高管理部１４０は、プリペイドカードのＩＤと残高を対応付けて記憶しており、玉貸装置５００における玉の貸し出し時、１回の貸出処理につき最小単位金額である１００円をプリペイドカードの残高から減算する。換言すれば、カード残高管理部１４０は、１回の玉貸操作について、貸出単位金額をプリペイドカードの残高から減算する。
【００４７】
図４は、本実施の形態に係る玉貸装置５００の要部構成を示すブロック図である。図４に示す玉貸装置５００は、カード受付部５１０、玉投出部５２０、通信Ｉ／Ｆ部５３０、貸出配分決定部５４０、貸出処理部５５０、および玉貸指示部５６０を有している。
【００４８】
カード受付部５１０は、プリペイドカードを受け付け、受け付けられたプリペイドカードのＩＤを貸出処理部５５０へ通知する。
【００４９】
玉投出部５２０は、貸出処理部５５０から指示される玉数の玉をノズルからパチンコ台６００の上皿６３０へ投出する。
【００５０】
通信Ｉ／Ｆ部５３０は、島コントローラ２００を介してカードＴ／Ｃ１００と通信を行い、カードＴ／Ｃ１００から貸出単位金額および貸出玉数を受信したり、プリペイドカードのＩＤや残高などプリペイドカードの情報を送受信したりする。
【００５１】
貸出配分決定部５４０は、通信Ｉ／Ｆ部５３０によって受信された貸出単位金額および貸出玉数から、パチンコ台６００への貸出指示と玉投出部５２０からの直接投出とへの貸し出しの配分を決定する。すなわち、貸出配分決定部５４０は、貸出玉数を貸し出す際の貸出処理を実行する回数を決定し、それぞれの回数において貸出処理された玉をパチンコ台６００から投出させるか玉投出部５２０から直接投出するかを決定する。
【００５２】
貸出処理部５５０は、カード受付部５１０から通知されたプリペイドカードのＩＤに対応する残高をカードＴ／Ｃ１００へ問い合わせ、この残高を上限として貸出配分決定部５４０によって決定された貸出配分で玉の貸出処理を行う。具体的には、貸出処理部５５０は、貸出配分決定部５４０からの通知に従い、パチンコ台６００から玉を投出させる回については玉貸指示部５６０へ貸出指示の送出を指示し、玉投出部５２０から玉を直接投出する回については玉投出部５２０へ投出する玉数を指示する。そして、貸出処理部５５０は、通信Ｉ／Ｆ部５３０からプリペイドカードの残高の更新を要求する更新要求信号をカードＴ／Ｃ１００へ送信させ、カードＴ／Ｃ１００によって管理されたプリペイドカードの残高から玉貸しに利用された金額を減算させる。
【００５３】
玉貸指示部５６０は、併設されたパチンコ台６００へ台貸玉数の玉を貸し出す貸出指示を送出する。上述したように、パチンコ台６００が投出可能な台貸玉数はあらかじめ決められているため、玉貸指示部５６０は、玉数を指定する貸出指示ではなく、単に玉を貸し出すことのみを指示すれば良い。
【００５４】
次いで、上記のように構成されたカードＴ／Ｃ１００および玉貸装置５００を含む玉貸出システムの動作について説明する。ここではまず、カードＴ／Ｃ１００による貸出玉数の決定について説明する。
【００５５】
カードＴ／Ｃ１００の入力部１１０において貸出単位金額が入力されると、貸出単位金額は、貸出単位金額設定部１１２によって保持されるとともに、貸出玉数決定部１２０へ通知される。
【００５６】
また、入力部１１０において貸出玉数が入力されると、貸出玉数は、貸出玉数設定部１１３によって保持されるとともに、貸出玉数決定部１２０へ通知される。入力される貸出玉数は、従業員が消費税率を考慮し、貸出単位金額に対応させて算出した貸出玉数であるため、貸出玉数設定部１１３に貸出玉数が保持される場合は、この貸出玉数がそのまま貸出玉数決定部１２０によって貸出玉数と決定される。
【００５７】
一方、入力部１１０において貸出玉数が入力されることなく、消費税率が入力されると、消費税率は、消費税率設定部１１１によって保持されるとともに、貸出玉数決定部１２０へ通知される。そして、貸出玉数決定部１２０によって、税別の玉単価に消費税率が乗算され、税込玉単価が算出される。さらに、貸出玉数決定部１２０によって、貸出単位金額が税込玉単価で除算され、得られた商が貸出玉数となる。このとき、商の小数点以下は四捨五入される。
【００５８】
このようにして算出された貸出玉数は、最小単位金額よりも大きい貸出単位金額を消費税徴収の単位としていることになるため、消費税額が玉の単価に対して大きくなり、貸し出される玉の個数を調整することにより消費税を徴収する場合の誤差を小さくすることができる。これに対して、従来は、最小単位金額の玉の貸し出しごとに貸し出される玉の個数が調整されて消費税が徴収されるため、消費税額が玉の単価に対して小さく、適正な消費税の徴収には限界があった。
【００５９】
具体的に、図５−１は、消費税率を５〜１０％まで変化させたときの従来の方法による消費税徴収を示し、図５−２は、同様に消費税率を５〜１０％まで変化させたときの本実施の形態による消費税徴収を示している。これらの図においては、税別の玉単価を４円としたとき、貸出単位金額５００円で実際に貸し出される玉の金額（実質貸出金額）を示している。
【００６０】
図５−１においては、最小単位金額（１００円）の貸し出しごとに玉数が１玉または２玉減らされるため、貸出単位金額（５００円）の貸し出しが行われると、貸出玉数は１２０玉または１１５玉というように５玉単位で変化する。この貸出玉数に税込玉単価を乗算すれば、実質貸出金額が得られるが、図５−１を参照すれば明らかなように、消費税率が何％であっても実質貸出金額が５００円より大きくなっている。これは、遊技客から５００円を貸出単位金額として徴収したときに、実質的には５００円分を超過する玉を貸し出していることになり、超過分は遊技店が負担していることに他ならない。
【００６１】
一方、図５−２においては、貸出単位金額（５００円）に対する貸出玉数が消費税率に応じて決定されているため、貸出玉数は１玉単位で変化する。そして、図５−１と同様に、実質貸出金額を算出すると、すべての消費税率において実質貸出金額が５００円に非常に近くなっている。このため、本実施の形態においては、従来の方法よりも遊技店の負担が小さくなり、消費税率に従った消費税をより適正に遊技客から徴収することができる。
【００６２】
次に、玉貸装置５００における２通りの玉の貸出方法について、それぞれ図６および図７に示すフロー図を参照しながら説明する。なお、図７においては、図６と同じ部分に同じ符号を付す。
【００６３】
まず１つ目の方法においては、玉貸装置５００の通信Ｉ／Ｆ部５３０に、カードＴ／Ｃ１００において入力された貸出単位金額（Ａ）と貸出単位金額（Ａ）に応じて決定された貸出玉数（Ｂ）とが受信される（ステップＳ１０１）。受信された貸出単位金額（Ａ）および貸出玉数（Ｂ）は、貸出配分決定部５４０へ出力される。
【００６４】
そして、貸出配分決定部５４０によって、貸出玉数（Ｂ）の玉を何回の貸出処理に分けて貸し出すかが決定される。すなわち、貸出単位金額（Ａ）が最小単位金額（Ｃ）で除算され、貸出配分回数（Ｄ）が決定される（ステップＳ１０２）。例えば、貸出単位金額（Ａ）が５００円であれば、５００円を最小単位金額（Ｃ）の１００円で除算した５回が貸出配分回数（Ｄ）となり、貸出玉数（Ｂ）の玉は、５回に分けて貸し出されることになる。
【００６５】
貸出配分回数（Ｄ）が決定されると、それぞれの回の貸し出しにおいて基本となる単位玉数（Ｅ）が決定される。具体的には、各回において貸し出される玉数が可能な限り均等となるように、貸出玉数（Ｂ）を貸出配分回数（Ｄ）で除算し、得られた商の小数点以下を切り上げて単位玉数（Ｅ）が決定される（ステップＳ１０３）。例を挙げると、貸出玉数（Ｂ）が１１９玉で貸出配分回数（Ｄ）が５回である場合は、１１９／５＝２３．８であるため、単位玉数（Ｅ）は２４玉となる。
【００６６】
貸出配分決定部５４０による以上の貸出配分回数（Ｄ）および単位玉数（Ｅ）の決定は、カードＴ／Ｃ１００から貸出単位金額（Ａ）および貸出玉数（Ｂ）が受信された時点で実行され、貸出配分は、貸出処理部５５０へ伝達される。その後、遊技客が玉貸装置５００に併設されたパチンコ台６００に着席し、プリペイドカードを玉貸装置５００のカード受付部５１０に挿入すると、カード受付部５１０によってプリペイドカードが受け付けられ（ステップＳ１０４）、プリペイドカードのＩＤが貸出処理部５５０へ通知される。貸出処理部５５０へプリペイドカードのＩＤが通知されると、貸出処理部５５０は、通信Ｉ／Ｆ部５３０を介してカードＴ／Ｃ１００へプリペイドカードの残高を問い合わせ、得られた残高を保持する。
【００６７】
また、遊技客によってパチンコ台６００の玉貸ボタン６１０が押下されるなどの玉貸操作が行われると、玉の貸し出しが要求されていることが貸出処理部５５０によって検知される（ステップＳ１０５）。貸出処理部５５０は、保持しているプリペイドカードの残高が貸出単位金額（Ｂ）以上であることを確認し、１回目の貸出処理を実行する（ステップＳ１０６）。このときの貸出処理は、貸出配分決定部５４０から伝達された単位玉数（Ｅ）の玉を玉投出部５２０からパチンコ台６００へ投出させる処理である（ステップＳ１０７）。これにより、残りの貸出玉数（Ｂ）は当初の貸出玉数（Ｂ）から単位玉数（Ｅ）が減算された数に更新される。
【００６８】
貸出処理部５５０は、玉投出部５２０から玉を投出させると、通信Ｉ／Ｆ部５３０からカードＴ／Ｃ１００へプリペイドカードの残高から最小単位金額（Ｃ）の減算を要求する更新要求信号を送信させる。この更新要求信号は、カードＴ／Ｃ１００の通信Ｉ／Ｆ部１３０からカード残高管理部１４０へ出力され、カード残高管理部１４０において管理されているプリペイドカードの残高から最小単位金額（Ｃ）が減算される。
【００６９】
そして、貸出処理部５５０によって、残りの貸出玉数（Ｂ）が単位玉数（Ｅ）未満であるか否かが判定される（ステップＳ１０８）。この判定の結果、残りの貸出玉数（Ｂ）が単位玉数（Ｅ）以上の場合は（ステップＳ１０８Ｎｏ）、貸出処理部５５０によって２回目の貸出処理が実行される（ステップＳ１０６）。このときの貸出処理においても上記と同様に、単位玉数（Ｅ）の玉が玉投出部５２０からパチンコ台６００へ投出され（ステップＳ１０７）、通信Ｉ／Ｆ部５３０からカードＴ／Ｃ１００へ更新要求信号が送信される。
【００７０】
以下、残りの貸出玉数（Ｂ）が単位玉数（Ｅ）未満となるまでは同様の貸出処理が行われ、残りの貸出玉数（Ｂ）が単位玉数（Ｅ）未満となった場合は（ステップＳ１０８Ｙｅｓ）、貸出処理部５５０の貸出処理によって、残りの貸出玉数（Ｂ）が玉投出部５２０からパチンコ台６００へ投出され（ステップＳ１０９）、通信Ｉ／Ｆ部５３０からカードＴ／Ｃ１００へ更新要求信号が送信される。この一連の処理によって、当初の貸出玉数（Ｂ）が貸出配分回数（Ｄ）で貸し出されたことになる。換言すれば、（Ｄ−１）回の貸出処理それぞれにおいて単位玉数（Ｅ）が貸し出され、最後の１回の貸出処理において残りの玉数が貸し出されたことになる。
【００７１】
次いで２つ目の方法においては、１つ目の方法と同様に貸出単位金額（Ａ）と貸出玉数（Ｂ）が通信Ｉ／Ｆ部５３０に受信され（ステップＳ１０１）、貸出配分決定部５４０へ出力される。そして、貸出配分決定部５４０によって、貸出単位金額（Ａ）が最小単位金額（Ｃ）で除算され、貸出配分回数（Ｄ）が決定される（ステップＳ１０２）。
【００７２】
貸出配分回数（Ｄ）が決定されると、パチンコ台６００から投出可能な台貸玉数（Ｆ）ずつの貸し出しでは貸し出すことができない端玉数（Ｇ）が算出される。具体的には、貸出玉数（Ｂ）から（Ｄ−１）回の台貸玉数の貸し出しで貸し出される玉数が減算されて端玉数（Ｇ）が算出される（ステップＳ２０１）。例を挙げると、貸出玉数（Ｂ）が１１９玉で貸出配分回数（Ｄ）が５回、台貸玉数（Ｆ）が２５玉である場合は、１１９−２５×（５−１）＝１９であるため、端玉数（Ｇ）は１９玉となる。
【００７３】
貸出配分決定部５４０による以上の貸出配分回数（Ｄ）および端玉数（Ｇ）の決定は、カードＴ／Ｃ１００から貸出単位金額（Ａ）および貸出玉数（Ｂ）が受信された時点で実行され、貸出配分は、貸出処理部５５０へ伝達される。その後、遊技客が玉貸装置５００に併設されたパチンコ台６００に着席し、プリペイドカードを玉貸装置５００のカード受付部５１０に挿入すると、カード受付部５１０によってプリペイドカードが受け付けられ（ステップＳ１０４）、プリペイドカードのＩＤが貸出処理部５５０へ通知される。貸出処理部５５０へプリペイドカードのＩＤが通知されると、貸出処理部５５０は、通信Ｉ／Ｆ部５３０を介してカードＴ／Ｃ１００へプリペイドカードの残高を問い合わせ、得られた残高を保持する。
【００７４】
また、遊技客によってパチンコ台６００の玉貸ボタン６１０が押下されるなどの玉貸操作が行われると、玉の貸し出しが要求されていることが貸出処理部５５０によって検知される（ステップＳ１０５）。貸出処理部５５０は、保持しているプリペイドカードの残高が貸出単位金額（Ｂ）以上であることを確認すると、通信Ｉ／Ｆ部５３０からカードＴ／Ｃ１００へプリペイドカードの残高から貸出単位金額（Ｂ）の減算を要求する更新要求信号を送信させる。この更新要求信号は、カードＴ／Ｃ１００の通信Ｉ／Ｆ部１３０からカード残高管理部１４０へ出力され、カード残高管理部１４０において管理されているプリペイドカードの残高から貸出単位金額（Ｂ）が減算される。
【００７５】
このように２つ目の方法においては、１回の玉貸操作について玉の貸し出しに利用される貸出単位金額（Ｂ）が一括してプリペイドカードの残高から減算された後に１回目の貸出処理を実行する（ステップＳ２０２）。このときの貸出処理は、玉貸指示部５６０からパチンコ台６００へ台貸玉数（Ｆ）の玉貸しを指示する貸出指示を送出させる処理である（ステップＳ２０３）。これにより、残りの貸出玉数（Ｂ）は当初の貸出玉数（Ｂ）から台貸玉数（Ｆ）が減算された数に更新される。なお、台貸玉数（Ｆ）は、パチンコ台６００が投出可能な玉数であり、あらかじめ決められているため、玉貸指示部５６０からパチンコ台６００へ送出される貸出指示には、台貸玉数（Ｆ）の情報は含まれていなくても良い。
【００７６】
そして、貸出処理部５５０によって、貸出回数が（Ｄ−１）回に達したか否かが判定される（ステップＳ２０４）。この判定の結果、貸出回数がまだ（Ｄ−１）回に達していない場合は（ステップＳ２０４Ｎｏ）、貸出処理部５５０によって２回目の貸出処理が実行される（ステップＳ２０２）。このときの貸出処理においても上記と同様に、台貸玉数（Ｆ）の玉貸しを指示する貸出指示が玉貸指示部５６０からパチンコ台６００へ送出される（ステップＳ２０３）。
【００７７】
以下、貸出回数が（Ｄ−１）回に達するまでは同様の貸出処理が行われ、貸出回数が（Ｄ−１）回に達した場合は（ステップＳ２０４Ｙｅｓ）、貸出処理部５５０の貸出処理によって、端玉数（Ｇ）が玉投出部５２０から直接パチンコ台６００へ投出される（ステップＳ２０５）。この一連の処理によって、当初の貸出玉数（Ｂ）が貸出配分回数（Ｄ）で貸し出されたことになる。換言すれば、（Ｄ−１）回の貸出処理それぞれにおいて台貸玉数（Ｆ）がパチンコ台６００から貸し出され、最後の１回の貸出処理において端玉数（Ｇ）が玉貸装置５００から貸し出されたことになる。
【００７８】
なお、玉貸装置５００における玉の貸出方法は、上述した２通りに限定されるものではない。すなわち、上述の２通りの方法においては、貸出配分回数（Ｄ）の最後の１回の貸出処理時のみ、貸し出される玉数が異なっていたが、貸し出される玉数が異なるのは、任意の１回の貸出処理時でも良く、２回以上の貸出処理時でも良い。要するに、貸出単位金額（Ａ）と最小単位金額（Ｃ）から算出される貸出配分回数（Ｄ）の貸出処理で貸し出される玉数の合計が、当初の貸出玉数（Ｂ）となれば良い。また、１つ目の方法と２つ目の方法とではプリペイドカードの残高の更新に関する処理が異なっているが、これらはそれぞれの方法で入れ替えて適用することも可能である。すなわち、１つ目の方法において貸出単位金額（Ｂ）をプリペイドカードの残高から一括して減算しても良く、２つ目の方法において貸出処理のたびに最小単位金額（Ｃ）をプリペイドカードの残高から減算しても良い。
【００７９】
以上のように、本実施の形態によれば、消費税徴収の単位を遊技店で流通する最小単位金額よりも大きい貸出単位金額とし、貸出単位金額によって貸し出される玉数を調整して遊技客から消費税を徴収する。このため、最小単位金額を単位として消費税を徴収する場合よりも玉の単価に対する消費税額が相対的に大きくなり、玉数の調整による消費税徴収の誤差を小さくすることができ、消費税率に従った消費税をより適正に遊技客から徴収することができる。
【００８０】
なお、上記一実施の形態においては、便宜上、消費税徴収の単位を貸出単位金額としたが、消費税徴収の単位は、必ずしも貸出単位金額に一致させなくても良い。すなわち、例えば貸出単位金額が５００円であっても、消費税徴収の単位を１０００円とし、１０００円に対応して貸し出す玉数を調整するようにしても良い。反対に、例えば貸出単位金額が１０００円であっても、消費税徴収の単位を５００円とし、５００円に対応して貸し出す玉数を調整するようにしても良い。ただし、消費税徴収の単位となる金額は、遊技店で流通する最小単位金額より大きく、最小単位金額の倍数であるものとする。
【００８１】
また、上記一実施の形態においては、カードＴ／Ｃ１００に消費税率や貸出単位金額が入力されて設定されるものとしたが、玉貸装置５００に直接消費税率、貸出単位金額、および貸出玉数などを設定するようにしても良い。この場合、カードＴ／Ｃ１００が貸出単位金額に対応する貸出玉数を決定するのと同様に、玉貸装置５００が貸出単位金額と消費税率から貸出玉数を決定しても良い。
【００８２】
また、上記一実施の形態においては、プリペイドカードによって玉が貸し出されるものとしたが、本発明は、現金によって遊技媒体が貸し出される場合にも同様に実施することができる。
【産業上の利用可能性】
【００８３】
本発明は、消費税率に従った消費税をより適正に遊技客から徴収する場合に適用することができる。
【図面の簡単な説明】
【００８４】
【図１】一実施の形態に係る遊技店の概略構成を示す図である。
【図２】一実施の形態に係る玉貸装置およびパチンコ台の外観を示す正面図である。
【図３】一実施の形態に係るカードＴ／Ｃの要部構成を示すブロック図である。
【図４】一実施の形態に係る玉貸装置の要部構成を示すブロック図である。
【図５−１】消費税率が変化した場合の消費税徴収状況の一例を示す図である。
【図５−２】消費税率が変化した場合の消費税徴収状況の他の一例を示す図である。
【図６】一実施の形態に係る玉貸装置の玉貸動作を示すフロー図である。
【図７】一実施の形態に係る玉貸装置の他の玉貸動作を示すフロー図である。
【符号の説明】
【００８５】
１１０  入力部
１１１  消費税率設定部
１１２  貸出単位金額設定部
１１３  貸出玉数設定部
１２０  貸出玉数決定部
１３０  通信Ｉ／Ｆ部
１４０  カード残高管理部
５１０  カード受付部
５２０  玉投出部
５３０  通信Ｉ／Ｆ部
５４０  貸出配分決定部
５５０  貸出処理部
５６０  玉貸指示部
【図１】
2008036322.tif 000003
【図２】
2008036322.tif 000004
【図３】
2008036322.tif 000005
【図４】
2008036322.tif 000006
【図５−１】
2008036322.tif 000007
【図５−２】
2008036322.tif 000008
【図６】
2008036322.tif 000009
【図７】
2008036322.tif 000010